(57)【要約】      （修正有）【課題】伸縮自在となる中棒を備えた傘に係り、特に傘の中棒の下端に取り付けられたハンドル（手元）を手で握って使用する傘において、そのハンドルを握る腕側のひじを折り曲げた状態と、ひじを伸ばした状態とのいずれの状態においても、傘の傘布が常に使用者の頭部にぶつからない位置に配設されるようにした伸縮自在となる中棒を備えた傘を提供する。【解決手段】ハンドル３から延びる中棒２の先端に親骨と受け骨を介して傘布を張設してなる傘において、ハンドル又はハンドル位置に近い中棒に操作スイッチ７を設け、この操作スイッチ７で中棒２が伸張するように構成する事により、該伸縮自在となる中棒を備えた傘を構成する。【選択図】図１
0003156397.tif 000002
【実用新案登録請求の範囲】
【請求項１】
ハンドルから延びる中棒の先端に親骨と受け骨を介して傘布を張設してなる傘において、ハンドル又はハンドル位置に近い中棒に操作スイッチを設け、この操作スイッチで中棒が伸張するように構成したことを特徴とする伸縮自在となる中棒を備えた傘。
【請求項２】
操作スイッチが押しボタンである請求項１記載の伸縮自在となる中棒を備えた傘。
【請求項３】
中棒が二重軸で構成されていることを特徴とする請求項１又は２記載の伸縮自在となる中棒を備えた傘。
【請求項４】
二重軸で形成される中棒の、内軸にバネ部材を備え、そのバネ部材の出没軸部を前記操作スイッチに係合自在になるように配設したことを特徴とする請求項１乃至３のいずれかに記載の伸縮自在となる中棒を備えた傘。
【考案の詳細な説明】
【技術分野】
【０００１】
本考案は、伸縮自在となる中棒を備えた傘に係り、特に傘の中棒の下端に取り付けられたハンドル（手元）を手で握って使用する傘において、そのハンドルを握る腕側のひじを折り曲げた状態と、ひじを伸ばした状態とのいずれの状態においても、傘の傘布が常に使用者の頭部にぶつからない位置に配設されるようにした伸縮自在となる中棒を備えた傘に関する。
【背景技術】
【０００２】
一般的に普及している傘は、傘の中棒の長さが固定状に設置されたものであり、その中棒の下端に取り付けられたハンドルを握って傘を保持して使用している。また折り畳み傘にあっては、当然ながら中棒自体は伸縮自在に構成されてはいるが、中棒を最大限に伸張させた状態に合わせてハンドル位置が決められており、それは傘を持つ腕側のひじを折り曲げた状態でハンドルを握るように中棒の長さを設計したものとなっている。
さらにこの中棒に、屈曲可能部を設けて中棒を屈曲させて傘布と中棒の取付角を変化させる工夫を凝らしたものも存在する。
【先行技術文献】
【特許文献】
【０００３】
【特許文献１】特開２００６−５１３２６号公報
【特許文献２】実用新案登録第３０９８３２５号公報
【考案の概要】
【考案が解決しようとする課題】
【０００４】
ところで、上記した従来の傘は、ハンドルを持つ腕側のひじを折り曲げた状態で使用することが原則で、ひじを伸ばした状態で使用することは想定されていないため、その傘をひじを伸ばした状態で使用すると傘布部分が下方に下がって、傘布が使用者の頭部に引っ掛かってしまい、傘の使用ができなくなるという実情があった。
このため、傘のハンドルを持つ手にカバンなどの荷物を一緒に持ったような場合に、例えば他方の手で携帯電話などの操作をしようとしたときには、傘を持つ側の腕のひじを伸ばして傘を差したいという要望が生まれるが、従来の傘では常に傘を持つ側の腕のひじを曲げた状態にしていなければならず、それは大変不自然な体勢であり、腕に相当の荷重が掛かって使いにくくなるという問題があった。
【０００５】
本考案の目的は、上記の問題を解消するために、必要時には簡単な操作で傘の中棒をワンタッチで伸張させ、傘を持つ側の腕のひじを伸ばした状態でも傘を差すことができるようにした伸縮自在となる中棒を備えた傘を提供することである。
【課題を解決するための手段】
【０００６】
前記課題を解決するために、請求項１に記載の考案は、ハンドルから延びる中棒の先端に親骨と受け骨を介して傘布を張設してなる傘において、ハンドル又はハンドル位置に近い中棒に操作スイッチを設け、この操作スイッチで中棒が伸張するように構成したことを特徴とする伸縮自在となる中棒を備えた傘である。
【０００７】
請求項２に記載の考案は、操作スイッチが押しボタンである請求項１記載の伸縮自在となる中棒を備えた傘である。
【０００８】
請求項３に記載の考案は、中棒が二重軸で構成されていることを特徴とする請求項１又は２記載の伸縮自在となる中棒を備えた傘である。
【０００９】
請求項４に記載の考案は、二重軸で形成される中棒の、内軸にバネ部材を備え、そのバネ部材の出没軸部を前記操作スイッチに係合自在になるように配設したことを特徴とする請求項１乃至３のいずれかに記載の伸縮自在となる中棒を備えた傘である。
【考案の効果】
【００１０】
上記の請求項１乃至４の考案によれば、操作スイッチを片手の指先で操作するだけで、ワンタッチで中棒が伸張し、使用者の腕のひじを伸ばした状態で傘のハンドルを握っても、傘の傘布が使用者の頭部に当接しないようになるという効果を発揮する。
【００１１】
また一般的な使用形態であるひじを曲げた状態で傘を差す場合には、傘の中棒を少し押し込むだけで伸張前の状態に簡単に戻せるという効果を発揮する。
【図面の簡単な説明】
【００１２】
【図１】本考案に係る伸縮自在となる中棒を備えた傘の要部を示す部分断面正面図（中棒の伸張前の状態）である。
【図２】本考案に係る伸縮自在となる中棒を備えた傘の要部を示す部分断面正面図（中棒の伸張後の状態）である。
【図３】本考案に係る伸縮自在となる中棒を備えた傘の使用状態を示す参考斜視図（中棒の伸張後の状態）である。
【考案を実施するための形態】
【００１３】
以下添付図面に基づいて、本考案に係る伸縮自在となる中棒を備えた傘の一実施の形態を詳説するが、本考案はこれらの実施の形態に制限されるものではない。
図１〜図３に示す傘１は、中棒２、ハンドル３、傘布４、親骨５、石突６で形成されている。
【００１４】
ハンドル３には操作スイッチ７が取り付けられており、この操作スイッチ７を指先で押し込むことにより、中棒２の二重軸の内軸８と外軸９間に掛け渡されたバネ部材１０の出没軸１１を、第一係止孔１２から第二係止孔１３にスライド移動させる。内軸８は、図示しない弾発部材により、ハンドル３側から石突６方向に向かって常時付勢力が付与されている。
【００１５】
これにより外軸９から内軸８が石突６方向に伸張し、中棒２の全長を伸張させることになる。この中棒の伸張幅Ｌは適宜定められるが、通常１５０〜１７０ｍｍが好ましいく、特に１６０ｍｍ程度がより好ましい。
【００１６】
一旦伸張した中棒２を元の伸張前の状態に戻すには、図２の状態で出没軸１１を内軸の内方に押し込み、その状態で出没軸１１が第二係止孔１３を抜けて第一係止孔１２位置に嵌合するまで、内軸８をハンドル３方向に押し戻すことで、中棒２は図１の状態に復帰し、伸張前の中棒２の状態に戻る。
【００１７】
本考案の、伸縮自在となる中棒を備えた傘１は、上記したようにハンドル３を持つ側の腕のひじを伸ばして傘１を差したい場合には、中棒２を伸張させた状態で使用し、一方腕のひじを曲げた状態で傘１を差したい場合には、中棒２を伸張させない状態で使用することになる。
【産業上の利用可能性】
【００１８】
本考案の伸縮自在となる中棒を備えた傘は、傘の製造現場、並びに傘を使用する現場において重宝に利用することが可能である。
【符号の説明】
【００１９】
１ …傘
２ …中棒
３ …ハンドル
４ …傘布
５ …親骨
６ …石突
７ …操作スイッチ
８ …内軸
９ …外軸
１０…バネ部材
１１…出没軸
１２…第一係止孔
１３…第二係止孔
Ｌ…中棒の伸張幅
【図１】
0003156397.tif 000003
【図２】
0003156397.tif 000004
【図３】
0003156397.tif 000005